(57)【要約】      （修正有）【課題】イヤホンコードの適所をズレ動きなく確実に保持して着衣などに装着することができるとともに、着衣を傷付けることなく着衣の適所に装着することができるイヤホンコードホルダを提供する。【解決手段】屈曲変形可能な素材からなるバンド状のホルダ本体１の両端部に、磁力によって互いに吸着する吸着部３をそれぞれ備えるとともに、ホルダ本体１の長手方向中間部位にイヤホンコード５を挿通保持する複数の透孔４を形成してある。これにより、イヤホンコードの適所がズレ動きなく確実に保持され、着衣などに装着されるとともに、着衣を傷付けることなく着衣の適所に装着される。【選択図】図４
0003207570.tif 000002
【実用新案登録請求の範囲】
【請求項１】
屈曲変形可能な非磁性素材からなるホルダ本体と、
前記ホルダ本体の所定箇所に磁力によって互いに吸着する吸着部と、を備え、
前記ホルダ本体は、前記吸着部の間にイヤホンコードを挿通した状態で保持する複数の透孔を形成してある、
ことを特徴とするイヤホンコードホルダ。
【請求項２】
前記ホルダ本体は、前記複数の透孔にイヤホンコードを挿通して保持した状態で、前記イヤホンコードの所定位置で固定される、請求項１に記載のイヤホンコードホルダ。
【請求項３】
前記ホルダ本体は、前記複数の透孔にイヤホンコードを挿通して保持した状態で屈曲することによって、イヤホンコードを束ねることができる、請求項１または２に記載のイヤホンコードホルダ。
【請求項４】
前記ホルダ本体は、
前記複数の透孔にイヤホンコードを挿通して保持した状態で、
ホルダ本体表面に、イヤホンコードの一部が凸状に屈曲して現れる、請求項１から３に記載のイヤホンコードホルダ。
【請求項５】
前記ホルダ本体は、シリコンゴム、天然ゴム、合成ゴムを含む弾性変形し易い部材であり、
前記透孔は、イヤホンコードを所定の機器に接続するイヤホンプラグの最大径部分よりも小径である、請求項１から４に記載のイヤホンコードホルダ。
【請求項６】
前記透孔は、イヤホンコードより大径である、請求項５に記載のイヤホンコードホルダ。
【請求項７】
前記ホルダ本体は、塩化ビニール、ポリウレタン、綿を含む弾性変形し難い部材であり、
前記透孔は、イヤホンコードを所定の機器に接続するイヤホンプラグの最大径部分よりも大径である、請求項１から４に記載のイヤホンコードホルダ。
【請求項８】
前記ホルダ本体は、バンド状であり、バンド状のホルダ本体の両端部に、前記吸着部をそれぞれ備える、請求項１から７に記載のイヤホンコードホルダ。
【請求項９】
前記ホルダ本体は、前記バンド状のホルダ本体の長手方向中間部位に、前記バンド状のホルダ本体の長手方向に直交する幅方向に並列に、前記透孔を２個形成してある、請求項８に記載のイヤホンコードホルダ。
【請求項１０】
前記透孔は、イヤホンコードが挿通されていない状態で開口している、請求項１から９に記載のイヤホンコードホルダ。
【請求項１１】
前記透孔は、円形状である、請求項１０に記載のイヤホンコードホルダ。
【請求項１２】
前記ホルダ本体は、前記透孔とホルダ本体側辺とに亘る切込みが形成されている、請求項１から１１に記載のイヤホンコードホルダ。
【考案の詳細な説明】
【技術分野】
【０００１】
本考案は、スマートフォン、タブレット、ポータブルミュージックプレイヤーなどの機器にコード付きイヤホンを接続して使用する際に、イヤホンコードが大きく振れ動かないように保持したり、使用していないイヤホンコードをバラケないように巻き束ねて保持したり、することができるイヤホンコードホルダに関する。
【背景技術】
【０００２】
上記イヤホンコードホルダとしては、例えば、特許文献１に示されているように、開閉可能に枢支連結されるとともに、ねじりバネによって閉じ方向に回動付勢された一対の挟持体でイヤホンコードを挟持するとともに、両挟持体を着衣の胸元などに挟持装着するクリップ状に構成したものが知られている（例えば、特許文献１参照）。
【先行技術文献】
【特許文献】
【０００３】
【特許文献１】意匠登録第１３４１６１６号公報
【考案の概要】
【考案が解決しようとする課題】
【０００４】
しかしながら、上記したイヤホンコードホルダは、対向する挟持体の間にイヤホンコードと着衣を挟み込むものであるから、着衣の厚さによって両挟持体の閉じ具合が変化し、厚地の着衣に装着した際にはイヤホンコードの挟持力が小さくなって、イヤホンコードがズレ動きやすくなるものであった。
【０００５】
また、両挟持体で着衣をずれ動くことなく確実に挟持するために、両挟持体の対向する挟持部位には先鋭な歯部が形成されており、着衣が薄い場合には、挟持体の歯部が着衣に強く食い込んで挟み跡が付いたり傷付いたりするおそれがあった。特に、イヤホンコードホルダを着衣に挟持装着した状態でイヤホンコードに大きい力が作用したような場合、着衣に損傷を与えやすいものであった。
【０００６】
本考案は、このような事情に着目してなされたものであって、イヤホンコードの適所をズレ動きなく確実に保持して着衣などに装着することができるとともに、着衣を傷付けることなく着衣の適所に装着することができるイヤホンコードホルダを提供することを目的とするものである。
【課題を解決するための手段】
【０００７】
上記目的を達成するために、本考案１では次のように構成している。
【０００８】
（１）  本考案に係るイヤホンコードホルダは、
屈曲変形可能な非磁性素材からなるホルダ本体と、ホルダ本体の所定箇所に磁力によって互いに吸着する吸着部と、を備え、ホルダ本体は、吸着部の間にイヤホンコードを挿通した状態で保持する複数の透孔を形成してある、ことを特徴とする。
【０００９】
この構成によると、イヤホンコードを透孔に挿通保持した後、このホルダ本体を内向きに屈曲させると、対向する吸着部が磁力によって互いに吸着接近することになり、磁力によって互いに吸着接近する両吸着部で着衣を表裏から挟持することで、イヤホンコードホルダを着衣の胸元やポケットなどの任意の適所に保持することができる。
【００１０】
この場合、イヤホンコードのイヤホン本体に近い適所にイヤホンコードホルダを装着することによって、長いイヤホンコードの重量や振れ動きがイヤホンコードホルダを介して着衣に支持されることになり、イヤホンコードの重量や振れ動きによってイヤホン本体が不用意に耳から外れることが抑制される。
【００１１】
また、吸着部とは無関係にホルダ本体の複数の透孔に亘ってイヤホンコードが挿通保持されるので、着衣の厚さによって対向する両吸着部の間隔が変わっても、イヤホンコードの保持機能は何ら変わることがない。
【００１２】
また、両吸着部で着衣を表裏から挟持して、吸着部の表面を着衣に圧接して生じる摩擦によってイヤホンコードホルダを着衣に保持させるので、着衣の一部に挟持跡が付いたり、傷付いたりすることはない。
【００１３】
（２）  ホルダ本体は、複数の透孔にイヤホンコードを挿通して保持した状態で、イヤホンコードの所定位置で固定される。この構成によると、ホルダ本体をイヤホンコードの所定位置で位置ずれし難くできる。また、イヤホンコードホルダの紛失を軽減できる。
【００１４】
（３）  ホルダ本体は、複数の透孔にイヤホンコードを挿通して保持した状態で屈曲することによって、イヤホンコードを束ねることができる。この構成によると、イヤホンコードが鞄の中などに収納する際に、イヤホンコードが絡まることを軽減できる。
【００１５】
（４）  ホルダ本体は、複数の透孔にイヤホンコードを挿通して保持した状態で、ホルダ本体表面に、イヤホンコードの一部が凸状に屈曲して現れる。この構成によると、イヤホンコードは複数の透孔に屈曲して挿通されて複数の透孔の孔縁に適度に圧接されるので、イヤホンコードの振れ動き程度の力ではイヤホンコードが所定位置からずれ動き難くすることができる。また、イヤホンコードを完全に固定するのではないので、イヤホンコードを強く引っ張り操作すればコード長手方向に引き動かし、必要に応じてホルダ本体に対するイヤホンコードの保持位置を使い勝手の良い任意の位置に変更調節することができる。
【００１６】
（５）  ホルダ本体は、シリコンゴム、天然ゴム、合成ゴムを含む弾性変形し易い部材であり、透孔は、イヤホンコードを所定の機器に接続するイヤホンプラグの最大径部分よりも小径である。この構成によると、イヤホンコードと透孔との摩擦力が増すので、ホルダ本体をイヤホンコードの所定位置で位置ずれし難くできる。
【００１７】
（６）  （５）の透孔は、イヤホンコードより大径である。この構成によると、挿通したイヤホンコードが少し屈曲されるだけで孔縁に十分圧接されることになり、摩擦によるコード保持機能が確実に発揮される。なお、摩擦によるコード保持機能をより高めるためには、透孔をイヤホンコードより若干大径とすることが好ましい。
【００１８】
（７）  ホルダ本体は、塩化ビニール、ポリウレタン、綿を含む（上記（５）記載の部材よりも）弾性変形し難い部材であり、透孔は、イヤホンコードを所定の機器に接続するイヤホンプラグの最大径部分よりも大径である。この構成でも、イヤホンコードと透孔との摩擦力によって、ホルダ本体をイヤホンコードの所定位置で位置ずれし難くできる。なお、イヤホンコードがより位置ずれし難くするためには、透孔をイヤホンプラグの最大径部分よりも若干大径とすることが好ましい。
【００１９】
（８）  ホルダ本体は、バンド状であり、バンド状のホルダ本体の両端部に、吸着部をそれぞれ備える。この構成によると、イヤホンコードホルダの形状がコンパクトになる。
【００２０】
（９）  （８）の透孔は、バンド状のホルダ本体の長手方向中間部位に、バンド状のホルダ本体の長手方向に直交する幅方向に並列に、透孔を２個形成してある。この構成によると、イヤホンの挿通位置が着衣の胸元やポケットから最も遠くに離れるので、挿通されたイヤホンが着衣の影響を受けにくくなる。透孔が２個形成されているので、イヤホンコードの挿通箇所の上下で透孔との摩擦力が増し、ホルダ本体をイヤホンコードの所定位置で位置ずれし難くなる。
【００２１】
（１０）  透孔は、イヤホンコードが挿通されていない状態で開口している。この構成によると、イヤホンコードやイヤホンプラグを透孔に挿入しやすくなる。
【００２２】
（１１）  （１０）の透孔は、円形状である。この構成によると、イヤホンプラグの先端は通常円形であるので、イヤホンコードやイヤホンプラグをさらに挿入しやすくなる。
【００２３】
（１２）  ホルダ本体は、透孔とホルダ本体側辺とに亘る切込みが形成されている。この構成によると、イヤホンプラグの挿通操作を要することなく、簡単容易にイヤホンコードの所望箇所を透孔に挿通保持することができる。
【考案の効果】
【００２４】
このように、本考案のイヤホンコードホルダによれば、イヤホンコードの適所をズレ動きなく確実に保持して着衣などに装着することができるとともに、着衣を傷付けることなく着衣の適所に装着することができる。
【図面の簡単な説明】
【００２５】
【図１】イヤホンコードホルダの斜視図である。
【図２】イヤホンコードホルダの平面図である。
【図３】イヤホンコードホルダの縦断側面図である。
【図４】イヤホンコードを挿通保持したイヤホンコードホルダの斜視図である。
【図５】着衣に装着したイヤホンコードホルダの平面図である。
【図６】使用形態の一例を示す概略正面図である。
【図７】使用形態の他の例を示す概略斜視図である。
【図８】イヤホンコードホルダの別実施例を示す平面図である。
【図９】イヤホンコードホルダの他の実施例を示す平面図である。
【図１０】イヤホンコードホルダのその他の実施例を示す平面図である。
【考案を実施するための形態】
【００２６】
以下、本考案の実施例を図面に基づいて説明する。
【００２７】
図１に、本考案に係るイヤホンコードホルダＡの斜視図が、図２に、その平面図が、また、図３に、その縦断側面図がそれぞれ示されている。
【００２８】
このイヤホンコードホルダＡは、バンド状に成形されたホルダ本体１の両端部に、磁石２を埋設した吸着部３がそれぞれ備えられるとともに、ホルダ本体１の長手方向中央部位に、イヤホンコード５を挿通保持する一対の透孔４がバンド幅方向に並列して形成された構造となっている。
【００２９】
ホルダ本体１は、柔軟で伸縮性の高いシリコンゴム，ウレタンゴムなどの軟質樹脂材で形成されており、幅が１０数ｍｍ、厚さが約２ｍｍ、全長が数十ｍｍに成形されている。また、吸着部３は、ホルダ本体１の屈曲内面となる同一面に隆起形成されており、かつ、各吸着部３の表面は平坦面となっている。磁石２は、直径が約１０ｍｍ、厚さが約２ｍｍの円盤状のものが用いられ、各吸着部３における表面側の電極が互いに異なるように、ホルダ本体１の成形と同時に磁石２がインサート成形されている。また、透孔４は、イヤホンコード５より若干大径（直径約３ｍｍ）の円形孔に形成されている。
【００３０】
本考案のイヤホンコードホルダＡは以上のように構成されており、ホルダ本体１の透孔４を大きく拡径変形させながらイヤホンプラグ６を両透孔４に順次挿通して、図４に示すように、イヤホンコード５の適所を両透孔４に亘って屈曲挿通する。これによって、屈曲挿通されたイヤホンコード５は、透孔４の内面に圧接接触した状態となり、ホルダ本体１の裏面でイヤホンコードの凸状に屈曲した部位よりも上側と下側が凸状に屈曲した部位の凸方向とは反対向きに押圧されるので、イヤホンコード５は簡単にはズレ動かないような適度の摩擦抵抗をもってホルダ本体１に保持される。
【００３１】
イヤホンコード５を両透孔４に挿通保持したホルダ本体１を、その長手方向中間部で内向きに屈曲させると、対向する吸着部３が磁力によって互いに吸着することになり、図５に示すように、磁力によって互いに吸着接近する両吸着部３で着衣Ｗを挟み持つことで、イヤホンコードホルダＡを着衣Ｗの任意の適所に摩擦保持することができる。
【００３２】
具体的な使用形態としては、図６（ａ），（ｂ）に示すように、イヤホンコード５の分岐箇所よりプラグ側の適所にホルダ本体１を挿通保持した上で、イヤホンプラグ６をスマートフォン、タブレット、ポータブルミュージックプレイヤーなどの機器７に連結し、イヤホンコード５を挿通保持したホルダ本体１を屈曲させ、着衣Ｗの胸元やポケットにおいて両吸着部３を布地の表裏から吸着作動させて、イヤホンコードホルダＡを着衣に挟持装着する。これによって、イヤホンコード５の重量や振れ動きによってイヤホン本体８が不用意に耳から外れるようなことを抑制することができる。なお、透孔４は、若干大径とした直径約３ｍｍよりも大きな径（例えば直径６〜７ｍｍ）であっても、イヤホン本体８が不用意に耳から外れるようなことを抑制することができる。
【００３３】
なお、ホルダ本体１に挿通保持されたイヤホンコード５は、両透孔４に亘って屈曲して挿通されて、透孔４の孔縁に適度に圧接されるので、イヤホンコード５の振れ動き程度の力ではイヤホンコード５がずれ動くことはないが、イヤホンコード５を少し強く引っ張り操作すればコード長手方向に引き動かすことができ、イヤホンコードホルダＡを着衣に保持した後でも、必要に応じてホルダ本体１に対するイヤホンコード５の保持位置を任意に変更調節することができる。
【００３４】
また、図７に示すように、使用していないイヤホンコード５を巻き束ねるとともに、両吸着部３同士を吸着接合させてループ状に屈曲したホルダ本体１で、束ねたイヤホンコード５を抱え込み保持しておくことで、バラケることなくイヤホンコード５を束ねてバッグなどに収容しておくことができる。
【００３５】
［他の実施例］
本考案は、以下のような形態で実施することもできる。
【００３６】
（１）図８に示すように、ホルダ本体１の透孔４に複数の切込み９を入れておくことで、透孔４を一層大きく拡径変形することができ、イヤホンプラグ６の挿通操作が容易となる。
【００３７】
（２）図９に示すように、ホルダ本体１におけるホルダ長手方向の二か所に一対の透孔４を形成する形態で実施することもできる。透孔４は、２個以上形成されてもよい。また、ホルダ本体１におけるホルダ長手方向の二か所に、大小２つの透孔４を一対（すなわち二対の透孔４を）形成してもよい。これにより、大きさが異なるイヤホンプラグに対応することができる。また、透孔４は、円形に限らず、ホルダ本体１がシリコンゴムなどの弾性部材であれば、イヤホンプラグの最大径部分よりも小径（幅）なスリットであってもよいし、ホルダ本体１が塩化ビニールなどの弾性変形し難い部材であれば、イヤホンプラグの最大径部分よりも若干大径（幅）なスリットであってもよい。
【００３８】
（３）図１０に示すように、ホルダ長手方向の二か所に形成した透孔４とバンド側辺とに亘る切込み１０を形成しておくと、イヤホンプラグ６の挿通操作を要することなく、簡単容易にイヤホンコード５の所望箇所を両透孔４に挿通保持することができる。
【００３９】
（４）ホルダ本体１に形成するイヤホンコード挿通保持用の透孔４は一対に限らず、３個以上の複数個形成して、ホルダ本体１に対するコード挿通位置を任意に選択できるようにしてもよい。また、透孔４の形状は円形に限らず、三角形、四角形、五角形、楕円形、長円形、短スリット形、等を任意に選択設定することができる。
【００４０】
（５）ホルダ本体１の素材は、屈曲変形可能な非磁性素材であればいかなるものでもよく、シリコンゴム以外の伸縮および屈曲が容易な各種の樹脂材や、樹脂コーティングした布材、などを用いることも可能である。また、塩化ビニール、ポリウレタン、綿を含む弾性変形し難い部材でもよい。この場合、透孔は、イヤホンプラグの最大径部分よりも若干大径（例えば６〜７ｍｍ）であることが好ましい。
【００４１】
（６）上記実施例における吸着部３は、ホルダ本体１の素材であるウレタンゴムの層で覆われており、ウレタンゴム自体が摩擦係数の大きい素材であるので、着衣に対して十分な滑り止め機能を発揮するものであるが、吸着部３の磁気吸着面となる表面全体を、微細な凹凸や突起群を備えた滑り止め粗面に形成しておくと、着衣にイヤホンコードホルダＡを挟み持ち装着した際の、吸着部３の表面と着衣との間の摩擦が更に大きくなり、滑りやすい素材の着衣や厚地の着衣に対してもイヤホンコードホルダＡを確実に保持させることができる。  
【００４２】
（７）ホルダ本体１の両端部に設ける吸着部３は、一方に磁石２を備え、他方に鉄片を備えたものにしてもよい。
【００４３】
（８）吸着部３に備える磁石２（あるいは鉄片）は、ホルダ本体１の端部に嵌め込み固定あるいは、接着固定するもよく、もしくは、ネジなどで連結固定してもよい。
【００４４】
（９）吸着部３の磁気吸着力を厚地の着衣に対応した適度の大きさに設定しておくことで、着衣の厚さに拘わらずイヤホンコードホルダＡを着衣に挟み持ち保持させることができる。
【００４５】
（１０）ホルダ本体１を複数の色合いの素材で成形して提供することで、ユーザーが好みの色合いのイヤホンコードホルダＡを選択して使用することができる。また、ホルダ本体１の外表面に各種デザインの模様を形成しておいてもよい。
【００４６】
（１１）透孔４は、円形に限らず、イヤホンコードを所定の機器に接続するイヤホンプラグの最大径部分よりも小径なスリットであってもよい。
【００４７】
１            ホルダ本体
２            磁石
３            吸着部
４            透孔
５            イヤホンコード
６            イヤホンプラグ
Ａ            イヤホンコードホルダ
Ｗ            着衣
【図１】
0003207570.tif 000003
【図２】
0003207570.tif 000004
【図３】
0003207570.tif 000005
【図４】
0003207570.tif 000006
【図５】
0003207570.tif 000007
【図６】
0003207570.tif 000008
【図７】
0003207570.tif 000009
【図８】
0003207570.tif 000010
【図９】
0003207570.tif 000011
【図１０】
0003207570.tif 000012